(57)【要約】【課題】配線の収容や導通チェッカーの持ち運びに手間を取られず、また導通検査を円滑に行えるようにする。【解決手段】配線の導通を検査する導通チェッカー１において、直流電源２と、直流電源２の正極と接続する配線４０の先端の正極接触子４１と、直流電源２の負極と接続する配線４２の先端の負極接触子４３と、直流電源２の正極と接続する配線４０又は直流電源２の負極と接続する配線４２の少なくとも一方を収納する配線リール５とを備えるものとした。【選択図】図１
2016212038.tif 000002
【特許請求の範囲】
【請求項１】
配線の導通を検査する導通チェッカーであって、
直流電源と、該直流電源の正極と接続する配線の先端の正極接触子と、該直流電源の負極と接続する配線の先端の負極接触子と、該直流電源の正極と接続する配線又は該直流電源の負極と接続する配線の少なくとも一方を収納する配線リールと、を備えた導通チェッカー。
【発明の詳細な説明】
【技術分野】
【０００１】
本発明は、配線の導通を検査する導通チェッカーに関する。
【背景技術】
【０００２】
基板内の配線が断線しているか否かを確認する場合や、配線の両端にコネクタピンを圧着しコネクタを配設した配線ＡＳＳＹの一方のコネクタピンと他方のコネクタピンとの導通を確認する場合には、導通チェッカーが用いられる（例えば、特許文献１参照）。ここで用いられる導通チェッカーは、例えば、電源が接続された配線に導通状態を報知するブザーまたはランプを接続し、その配線の他端に接触子（プローブ）を設け、２つの接触子の間がつながっていれば、ブザーまたはランプが点灯し導通を知らせる構造となっている。
【０００３】
そして、検査する箇所が定まっている被検査対象に対して、導通チェッカーを用いて導通検査を行う場合には、導通チェッカーの接触子を被検査対象の検査したい箇所に配置して、複数個所を同時に検査することを可能とする導通チェッカーもある（例えば、特許文献２参照）。
【先行技術文献】
【特許文献】
【０００４】
【特許文献１】特開２０００−３３８１６０号公報
【特許文献２】特開平０９−０３３５９３号公報
【発明の概要】
【発明が解決しようとする課題】
【０００５】
ここで、導通を検査する配線ＡＳＳＹが、装置間で信号を伝達する通信用のケーブルである場合や、装置の前方のオペレーションパネルと装置の後方の電源部との間で通信する通信用のケーブルである場合には、導通を検査する一方のコネクタピンと他方のコネクタピンとが数メートル離れている事があり、これに伴って導通チェッカーの接触子が接続される配線も数メートル用意する必要が生じる。そのため、配線の収容や導通チェッカーの持ち運びに手間を取られたり、長い配線が絡まったりすることで、オペレータが導通検査を円滑に行うことを妨げるという問題がある。
【課題を解決するための手段】
【０００６】
上記問題を解決するための本発明は、配線の導通を検査する導通チェッカーであって、直流電源と、該直流電源の正極と接続する配線の先端の正極接触子と、該直流電源の負極と接続する配線の先端の負極接触子と、該直流電源の正極と接続する配線又は該直流電源の負極と接続する配線の少なくとも一方を収納する配線リールと、を備えた導通チェッカーである。
【発明の効果】
【０００７】
本発明に係る導通チェッカーは、直流電源の正極と接続する配線又は直流電源の負極と接続する配線の少なくとも一方を収納する配線リールを備えるものとしたことで、導通検査に必要な長さの配線を配線リールから引き出して検査できるので、オペレータ等が導通検査を行っている最中に配線が検査作業の妨げになることがなく、また検査を終えた後に配線を容易に配線リールに収容できるので、携帯性に優れ、持ち運びに手間をとられることもなくなる。
【図面の簡単な説明】
【０００８】
【図１】導通チェッカーの一例を示す透視斜視図である。
【図２】導通チェッカーの一例を示す断面図である。
【図３】導通チェッカーを用いて、電子回路基板の導通検査を行っている状態を示す断面図である。
【発明を実施するための形態】
【０００９】
図１に示す導通チェッカー１は、本発明に係る導通チェッカーの一実施形態であり、直流電源２と、直流電源２の正極２ａと接続する配線４０の先端の正極接触子４１と、直流電源２の負極２ｂと接続する配線４２の先端の負極接触子４３と、直流電源２の正極２ａと接続する配線４０又は直流電源２の負極２ｂと接続する配線４２の少なくとも一方を収納する配線リール５とを備えている。
【００１０】
ケーシング１０は、導通チェッカー１の外郭をなす絶縁材料からなる箱状のケーシングであり、その内部には配線リール５が回動自在に収容される。
【００１１】
また、例えば、ケーシング１０の後方側（−Ｘ方向側）の内部には、電池等のバッテリーから構成される直流電源２が、電源収納部１２に交換自在に収納されている。そして、電子基板回路や配線ＡＳＳＹ等の被検査対象の２つの端子間が導通している場合に導通を知らせる導通報知部３が、電源収納部１２を介して直流電源２に対して電気的に接続されている。本実施形態においては、直流電源２の正極２ａがケーシング１０の上方（＋Ｚ方向）に位置し、直流電源２の負極２ｂがケーシング１０の下方（−Ｚ方向）に位置するように直流電源２は電源収納部１２に収納されている。導通報知部３は、例えば、ＬＥＤランプ３であり、正極接触子４１と負極接触子４３とを被検査対象に接触させて正極接触子４１と負極接触子４３との間がつながり電流が流れることで、発光してオペレータに導通していることを知らせる。なお、導通報知部３は、ＬＥＤランプ３に限定されるものではなく、発振回路を備えるブザーにすることで、被検査対象の導通をブザー音によりオペレータに知らせるものとしてもよい。
【００１２】
図２に示すように、ケーシング１０の前面１０ａ側（＋Ｘ方向側）の下部には、ケーシング１０の内部から配線４０及び配線４２を外部に引き出すための引き出し口１３が設けられている。また、例えば、ケーシング１０の内部で引き出し口１３の近傍には、ゴム部材等で形成された凸部を表面に複数形成し滑り止め加工を施した滑り止め部１５が配設されている。そして、引き出し口１３の上方でケーシング１０の前面１０ａ上には図示しない溝が形成されており、ケーシング１０の前面１０ａ上をこの溝に沿って摺接するロックレバー１７が、ケーシング１０の前面１０ａ上に備えられている。ロックレバー１７は、この図示しない溝を介して、ケーシング１０の内部で滑り止め部１５の上方に設けられた配線固定部１８と結合しており、ロックレバー１７を−Ｚ方向に押し下げると、ケーシング１０の内部の配線固定部１８も連動して−Ｚ方向へと降下する。ケーシング１０の内部から所定の長さまで引き出された配線４０及び配線４２は、−Ｚ方向へ降下した配線固定部１８と滑り止め部１５との間で挟まれることで、所定の長さが引き出された状態で配線リール５に固定される。また、例えば、配線固定部１８の底部はゴム部材等が固着されて形成されることで、配線４０及び配線４２が挟まれても断線しないように形成されている。なお、このように配線を挟持して固定するのではなく、例えば、解除ボタンを押すことで配線の固定が解除されるストッパー機構を導通チェッカー１に備えてもよい。
【００１３】
例えば、ケーシング１０の上部には、正極接触子４１又は負極接触子４３を収納可能な接触子収納部１９が形成されている。例えば、接触子収納部１９は、ケーシング１０の前面１０ａからケーシング１０の内部に至るように円空洞状に形成されており、正極接触子４１及び負極接触子４３を挿入することで収納することができる。なお、接触子収納部１９は、例えば、ケーシング１０の側面１０ｂ又は側面１０ｃ等に着脱可能に取り付けられるホルダー等でもよい。
【００１４】
配線４０及び配線４２は可撓性を有し、ビニール樹脂等により断線対策が施されており、その長さが例えば数ｍ程度である。そして、配線４０の引き出し側の先端４０ａには、正極接触子４１が着脱可能に接続されており、配線４０のもう一方の先端４０ｂは、電源収納部１２を介して直流電源２の正極２ａに接続されている。また、配線４２の引き出し側の先端４２ａには、負極接触子４３が着脱可能に接続されており、配線４２のもう一方の先端４２ｂは、電源収納部１２を介して直流電源２の負極２ｂに接続されている。
【００１５】
正極接触子４１は、例えば、オペレータが把持する部分であり、絶縁材等で形成されている棒状の把持部４１ａと、把持部４１ａの長手方向に把持部４１ａの中心を貫通して備えられ被検査対象に接触させる金属製の針状の端子部４１ｂとを備えており、配線４０の先端４０ａに端子部４１ｂを接続できる。負極接触子４３は、例えば、オペレータが把持する部分であり、絶縁材で形成されている棒状の把持部４３ａと、把持部４３ａの長手方向に把持部４３ａの中心を貫通して備えられ被検査対象に接触させる針状の端子部４３ｂとを備えており、配線４２の先端４２ａに端子部４３ｂを接続できる。
【００１６】
ケーシング１０の内部に収容される配線リール５は、配線４０及び配線４２を巻き取って収納する回動自在なリールであり、例えば、合成樹脂等により形成され配線４０及び配線４２が外周に巻回される円筒状の胴体部５１と、胴体部５１の軸方向の両端部からフランジ状に突出する円形状の側板部５２（一方のみ図示）とを備えている。側板部５２は、巻き取られた配線４０及び配線４２の位置を胴体部５１の外周面上に規制するものである。また、胴体部５１の円筒中心には、配線リール５の回転中心となる回転軸５３が胴体部５１の長手方向（Ｙ軸方向）に挿通されて固定されている。この回転軸５３は、例えば、その両端部がケーシング１０の側面１０ｂ（図２には不図示）及び側面１０ｃに対して固定されて保持されている。
【００１７】
一方の側板部５２には、ゼンマイバネ５７を収容する円筒状のバネ収容部５４が、バネ胴体部５１の回転に伴って回転するように、回転軸５３と同軸上にもう一方の側板部５２に向けて突設されている。このバネ収容部５４には、配線４０及び配線４２を巻き取る方向に向けて配線リール５への回転エネルギーを発生させる付勢手段としてのゼンマイバネ５７が収容されている。ゼンマイバネ５７は、例えば、弾性を有する長尺状の鋼板を、一方の先端側から順次もう一方の先端側にかけて巻回成形することにより、一方の先端側が最内周側に、もう一方の先端側が最外周側になるようにし、かつ鋼板の幅方向の両端を略揃えたスパイラル状に形成されている。例えば、ゼンマイバネ５７の一端は図２に示すように回転軸５３に設けた溝に入り込む形で保持され、もう一端はバネ収容部５４に設けた溝に入り込む形で保持されている。また、バネ収容部５４には、内部に収容されたゼンマイバネ５７を覆うようにして図示しないカバーが嵌めこまれている。
【００１８】
ゼンマイバネ５７は、配線リール５の胴体部５１が回転軸５３に対して配線４０及び配線４２の引き出し方向へと相対的に回動することで巻き締められて、配線４０及び配線４２の引き出しによる胴体部５１の回転方向と逆方向に回転させる回転エネルギーを発生させる。
【００１９】
以下に、図３を用いて導通チェッカー１の動作について説明する。導通チェッカー１を用いた導通検査においては、まず、導通チェッカー１のケーシング１０の内部から、引き出し口１３を通して配線４０及び配線４２を所定の長さだけ引き出す。ここで、配線４０及び配線４２が引き出されることで、配線４０及び配線４２が巻きつけられていた配線リール５が、例えば、ケーシング１０の側面１０ｃ側から見て時計回り方向に回転する。そして、回転軸５３がケーシング１０の側面１０ｂ（図３では不図示）及び側面１０ｃに固定して保持されているため、ゼンマイバネ５７はケーシング１０の側面１０ｃ側から見て時計回り方向に巻かれていき、ケーシング１０の側面１０ｃ側から見て反時計方向へ回転させる回転エネルギーを蓄えていく。
【００２０】
配線４０及び配線４２を導通検査に必要な所定の長さ分だけ引き出した後、ロックレバー１７を−Ｚ方向に押し下げて、配線固定部１８と滑り止め部１５との間で配線４０及び配線４２を挟持して、配線４０及び配線４２を所定の長さで配線リール５に固定する。
【００２１】
次いで、例えば、図３に示す被検査対象である電子回路基板９上のパッケージ９０から出ている一本の端子９１を特定して、端子９１に対して、配線４０に接続された正極接触子４１の端子部４１ｂを接触させる。また、パッケージ９０から出ている別の端子９２に対して、配線４２に接続された負極接触子４３の端子部４３ｂを接触させる。ここで、端子９１と端子９２との間が断線していない場合には、導通チェッカー１に備えるＬＥＤランプ３が点灯して導通していることをオペレータに知らせる。なお、図３においては、電子回路基板９はその一部のみを示している。
【００２２】
被検査対象の導通を確認した後にロックレバー１７を＋Ｚ方向へ引き上げることで、配線４０及び配線４２が、配線固定部１８と滑り止め部１５との間で挟持されなくなり、また、ゼンマイバネ５７に蓄えられているケーシング１０の側面１０ｃ側から見て反時計方向への回転エネルギーにより、配線４０及び配線４２は配線リール５に巻き戻されて元の状態に戻る。
【００２３】
上記のように本実施形態における導通チェッカー１においては、直流電源２の正極２ａと接続する配線４０又は直流電源２の負極２ｂと接続する配線４２の少なくとも一方を収納する配線リール５を備えるものとしたことで、導通検査に必要な長さの配線４０及び配線４２を配線リール５から引き出して検査できるので、オペレータ等が導通検査を行っている最中に配線４０及び配線４２が検査作業を妨げることなく、また検査を終えた後、配線４０及び配線４２を容易に配線リール５に収容できるので、携帯性に優れ、持ち運びに手間をとられることがなくなる。
【００２４】
なお、本発明は上記実施形態に限定されるものではない。添付図面に図示されている導通チェッカー１の大きさや形状等についても、これに限定されず、本発明の効果を発揮できる範囲内で適宜変更可能である。上記実施形態においては、導通チェッカー１を、配線４０及び配線４２の両方を配線リール５に収納できるように構成しているが、例えば、配線４０のみが配線リール５に収納できるようにして、配線４２はその長さを数１０ｃｍ程度にして図示しないホルダー等に収納できるようにしてもよい。
また、上記実施形態ではロックレバー１７を押し下げて配線固定部１８と滑り止め部１５との間で配線４０、４２を挟持するとしたが、ロックレバー１７を押下げたとき配線固定部１８が配線リール５に接触し配線リール５を固定させてもよい。
【符号の説明】
【００２５】
１：導通チェッカー  １０：ケーシング  
１０ａ：ケーシングの前面  １０ｂ：ケーシングの側面  １０ｃ：ケーシングの側面
１２：電源収納部  １３：引き出し口  １５：滑り止め部  １７：ロックレバー  
１８：配線固定部  １９：接触子収納部
２：直流電源  ２ａ：正極  ２ｂ：負極
３：導通報知部（ＬＥＤランプ）
４０：配線  ４０ａ：先端  ４０ｂ：先端  
４１：正極接触子  ４１ａ：把持部  ４１ｂ：端子部
４２：配線  ４２ａ：先端  ４２ｂ：先端  
４３：負極接触子  ４３ａ：把持部  ４３ｂ：端子部
５：配線リール  ５１：胴体部  ５２：側板部  ５３：回転軸  ５４：バネ収容部  
５７：ゼンマイバネ
９：電子回路基板  ９０：パッケージ  ９１：端子  ９２：端子
【図１】
2016212038.tif 000003
【図２】
2016212038.tif 000004
【図３】
2016212038.tif 000005